(57)【特許請求の範囲】
【請求項１】
重ね合わせても透けて見えるようにした生地（１）の下端となる開口部に開閉ファスナー（２）を有したものとすると共に上端部と両側端部を蓋体（３）の裏面に縫着して、前記重ね合わせた生地（１）の間に第一ポケット（Ｐ1 ）を設け、さらに前記重ね合わせた生地（１）の裏側になる生地と蓋体（３）との間に第二ポケット（Ｐ2 ）を設け、前記開閉ファスナー（２）を雌条（２ａ）と雄条（２ｂ）を係脱可能としてシール可能なものとし、前記第一ポケット（Ｐ1 ）の重ね合わせた生地（１）の表側になる生地または裏側になる生地の少なくとも一方をメッシュ地（１ａ）とし、前記第一ポケット（Ｐ1 ）内に現金または重要書類を収納し、前記第二ポケット（Ｐ2 ）内に時間割り表（５）を差し込んでおくようにしたことを特徴とするランドセルの被せ蓋。
【請求項２】
前記第二ポケット（Ｐ2 ）の開口部付近において、この第二ポケット（Ｐ2 ）内に時間割り表（５）を差し込んだとき、この時間割り表（５）が落ちないようにするために、この第二ポケット（Ｐ2 ）内に入り込ませたベロ体（４）を取り付けたことを特徴とする請求項１記載のランドセルの被せ蓋。
【発明の詳細な説明】
【０００１】
【発明の属する技術分野】
この発明は、ランドセルの被せ蓋に関するものである。
【０００２】
【従来の技術】
従来、ランドセルの被せ蓋は、図４に示したように、透明シート１１の下端部を開口してその上端部と両側端部を蓋体３の裏面に縫着し、この透明シート１１と蓋体３の間にポケットＰを構成し、このポケットＰに厚紙等で作成した時間割り表５を差し込むことにより、蓋体３に時間割り表５を装着していた。
【０００３】
前記蓋体３は、授業中や休み時間中に、ランドセルに教科書やノート等を出し入れするために開閉操作をする機会が多く、また次の授業が何であるか確かめるときなどに蓋体３の時間割り表５を見る機会がある。
【０００４】
そのため、前記蓋体３のポケットＰに学級費、給食代等の現金や、これらの徴収袋や連絡簿等の重要書類を差し込んでおくと、前記したように蓋体３を開閉するときや、時間割り表５を見るときにこれに気付き、先生や保護者に渡したり見せるのを忘れることがない。
【０００５】
【発明が解決しようとする課題】
しかしながら、前記蓋体３の開閉操作をするには、蓋体３の基端部を中心に蓋体３を上げ下げするので、ポケットＰの開口部が下に向いた場合、このポケットＰから現金や重要書類が落下し、これらを無くしてしまうことがあるという課題を有していた。
【０００６】
また、前記蓋体３のポケットＰでは、前記したように現金や重要書類を無くし易いので、ランドセル本体のファスナー付きポケットに収納しておくことがあるが、このポケットは授業中や休み時間中に開閉操作することは殆どなく、現金や重要書類を収納したことに気付かず、先生や保護者に渡したり見せるのを忘れることが多いという課題を有していた。
【０００７】
そこで、この発明は、上記従来の課題を解決するものであり、現金や重要書類を収納しても、蓋体を上げ下げするときに、ポケットの開口部が下に向いた場合、このポケットから現金や重要書類が落下することのないランドセルの被せ蓋を提供することを目的としてなされたものである。
【０００８】
【課題を解決するための手段】
そのため、この発明のランドセルの被せ蓋は、重ね合わせても透けて見えるようにした生地１の下端となる開口部に開閉ファスナー２を有したものとすると共に上端部と両側端部を蓋体３の裏面に縫着して、前記重ね合わせた生地１の間に第一ポケットＰ1 を設け、さらに前記重ね合わせた生地１の裏側になる生地と蓋体３との間に第二ポケットＰ2 を設け、前記開閉ファスナー２を雌条２ａと雄条２ｂを係脱可能としてシール可能なものとし、前記第一ポケットＰ1 の重ね合わせた生地１の表側になる生地または裏側になる生地の少なくとも一方をメッシュ地１ａとし、前記第一ポケットＰ1 内に現金または重要書類を収納し、前記第二ポケットＰ2 内に時間割り表５を差し込んでおくようにしている。
【０００９】
さらに、この発明のランドセルの被せ蓋は、前記第二ポケットＰ2 の開口部付近において、この第二ポケットＰ2 内に時間割り表５を差し込んだとき、この時間割り表５が落ちないようにするために、この第二ポケットＰ2 内に入り込ませたベロ体４を取り付けたものとしている。
【００１０】
【発明の実施の形態】
以下、この発明のランドセルの被せ蓋の実施の形態を、図面に基づいて詳細に説明する。
【００１１】
この発明のランドセルの被せ蓋は、図１〜３に示したように、重ね合わせても透けて見えるようにした生地１、例えば表側をテグス糸で編んだメッシュ地１ａとし、裏側を透明ビニール地１ｂとした生地１の下端となる開口部に開閉ファスナー２を有したものとしている。そして、前記生地１の上端部と両側端部を蓋体３の裏面に縫着して、メッシュ地１ａとビニール地１ｂとの間に第一ポケットＰ1 を設け、さらにビニール地１ｂと蓋体３との間に第二ポケットＰ2 を設けたものとしている。
【００１２】
第一ポケットＰ1 は、この実施態様では、表側をメッシュ地１ａとし、裏側を透明ビニール地１ｂとしているが、表側を透明ビニール地１ｂとし、裏側をメッシュ地１ａしても、さらに表裏両側ともメッシュ地１ａあるいは透明ビニール地１ｂとしてもよい。
【００１３】
開閉ファスナー２は、この実施態様では、雌条２ａと雄条２ｂを係脱可能としてシール可能なものとしているが、開閉ファスナーであればこれ以外のものであってもよいことは言うまでもない。なお、前記開閉ファスナー２をこの実施態様のようなものとした場合には、第一ポケットＰ1 の表裏両側をビニール地１ｂにすると、この開閉ファスナー２を閉じたときにポケット内が密閉されて空気の逃げ場がなくなりポケット内に空気が溜まった状態となってポケットが脹れるので、第一ポケットＰ1 の少なくとも表側または裏側をメッシュ地１ａとするのが好ましい。
【００１４】
また、前記第二ポケットＰ2 には、ビニール地１ｂの開口部付近において、第二ポケットＰ2 内に入り込ませたベロ体４を取り付けたものとしている。このベロ体４は、第二ポケットＰ2 内に時間割り表５等を差し込んだとき、その下辺の一部をベロ体４とビニール地１ｂとの間に挟み込んで、この時間割り表５等を落ちないようにするためのものである。
【００１５】
以上のように構成されたこの発明のランドセルの被せ蓋では、第一ポケットＰ1 の開閉ファスナー２を開き、学級費、給食代等の現金や、これらの徴収袋や連絡簿等の重要書類を第一ポケットＰ1 内に収納し、開閉ファスナー２を閉じておき、第二ポケットＰ2 内には時間割り表５等を差し込んでおく。このようにすれば、蓋体３を開閉するときや、時間割り表５を見るときに現金や重要書類に気付き、先生や保護者に渡したり見せるのを忘れることがない。
【００１６】
【発明の効果】
この発明のランドセルの被せ蓋は、以上に述べたように構成されているので、第一ポケットＰ1 に学級費、給食代等の現金や、これらの徴収袋や連絡簿等の重要書類を収納しておけば、蓋体３を上げ下げするときに、第一ポケットＰ1 の開口部が下に向いた場合、この第一ポケットＰ1 から現金や重要書類が落下することがないものとなり、これらを無くしてしまうことはない。さらに、この発明のランドセルの被せ蓋は、第二ポケットＰ2 に時間割り表５を差し込んでおけるので、第一ポケットＰ1 に現金や重要書類を出し入れするときに、この時間割り表５が邪魔になることもない。
【図面の簡単な説明】
【図１】  この発明のランドセルの被せ蓋をランドセル本体に装着した状態を示す斜視図である。
【図２】  この発明のランドセルの被せ蓋を裏面から見た状態の主要部を示す斜視図である。
【図３】  この発明のランドセルの被せ蓋の主要部を示す断面図である。
【図４】  従来のランドセルの被せ蓋を裏面から見た状態の主要部を示す斜視図である。
【符号の説明】
１  生地
１ａ  メッシュ地
１ｂ  透明ビニール地
２  開閉ファスナー
３  蓋体
４  ベロ体
Ｐ1   第一ポケット
Ｐ2   第二ポケット
【図１】
0004143987.tif 000002
【図２】
0004143987.tif 000003
【図３】
0004143987.tif 000004
【図４】
0004143987.tif 000005